(57)【特許請求の範囲】
【請求項１】
ねじ付き端部、リブ付き端部、および前記ねじ付き端部とリブ付き端部とを分けかつねじ付き端部表面とリブ付き端部表面とを含むフランジ、を含むハブと、
非患者端部と静脈注射端部とを含んで前記ハブに結合されるニードルと、
前記フランジの前記ねじ付き端部表面上に配置されて、前記ニードルアセンブリーのねじ付きハブとニードルホルダーとの間に、取り外し可能な確実な接着を成す摩擦コーティングと
を含むことを特徴とするアセンブリー。
【請求項２】
前記摩擦コーティングは固体弾性材料であることを特徴とする請求項１に記載のアセンブリー。
【請求項３】
前記摩擦コーティングは熱硬化性接着剤であることを特徴とする請求項２に記載のアセンブリー。
【請求項４】
前記熱硬化性接着剤はＵＶ硬化性熱硬化性アクリル接着剤であることを特徴とする請求項３に記載のアセンブリー。
【請求項５】
前記熱硬化性接着剤はアクリル酸ウレタンであることを特徴とする請求項３に記載のアセンブリー。
【請求項６】
ねじ付き端部、リブ付き端部、および前記ねじ付き端部とリブ付き端部とを分けかつねじ付き端部表面とリブ付き端部表面とを含むフランジ、を含むハブと、
非患者端部と静脈注射端部とを含んで前記ハブに結合されるニードルと、
フックアームを含んで前記ハブに結合されるカラーと、
前記フックアームによって前記カラーに取り外し可能に結合されることにより、その摩擦をもって、前記カラーに関して回転するように取り付けられていくつかの位置に容易に動かされるシールドと、
前記フランジの前記ねじ付き端部表面上に配置されて、前記ニードルアセンブリーのねじ付きハブとニードルホルダーとの間に、取り外し可能な確実な接着を成す摩擦コーティングと
を含むことを特徴とするアセンブリー。
【請求項７】
前記摩擦コーティングは熱硬化性材料であることを特徴とする請求項６に記載のアセンブリー。
【請求項８】
前記熱硬化性材料は、ＵＶ硬化性熱硬化性アクリル接着剤またはアクリル酸ウレタンであることを特徴とする請求項７に記載のアセンブリー。
【発明の詳細な説明】
【０００１】
【発明の属する技術分野】
本発明は、血液採取ニードルとニードルホルダーとを確実に接合するための手段に関する。さらに詳しくは、本発明は、摩擦コーティング、つまりニードルアセンブリーおよびニードルホルダーと協同して、ニードルホルダーからニードルアセンブリーが早まって外れることを防止する材料に関する。
【０００２】
【従来の技術】
血液採取ニードルアセンブリーは、チューブつまり各自のチューブ内への血液の採取を容易にするために、汎用のニードルホルダーと結合して典型的に用いられている。しかしながら、ニードルがニードルホルダーから早まって外れることを防止するための手段はなかった。
【０００３】
【発明が解決しようとする課題】
そのため、ニードルがニードルホルダーから早まって外れることを防止するための手段を提供する必要性がある。
【０００４】
【課題を解決するための手段】
本発明は、ニードルのハブ上に配置される摩擦コーティングあるいは材料である。さらに詳細には、摩擦コーティングあるいは材料は、ニードルホルダーをニードルアセンブリーに結合するために用いられるねじ結合部に隣接するハブのフランジ上に配置される。
【０００５】
好ましくは、本発明のニードルアセンブリーは、カニューレとハブを含む。好ましくは、カニューレは、在来の両頭ニードル（conventional double ended needle）である。ハブは、ねじ付き端部、リブ付き端部、およびねじ付き端部とリブ付き端部とを分けるフランジを含む。フランジは、ねじ付き端部表面と、リブ付き端部表面とを含む。ニードルはハブに結合され、これによりニードルは非患者端部と静脈注射端部とを構成する。
【０００６】
最も好ましくは、摩擦コーティングあるいは材料は、ねじ付き端部に隣接するハブのフランジのねじ付き端部表面上に配置される。摩擦コーティングあるいは材料は、フランジ表面の一部分または複数部分上のみ、あるいは全フランジ表面上に配備される。
【０００７】
好ましくは、摩擦コーティングは、固体弾性材料、または同様の特性をもつ他の材料である。好ましくは、摩擦コーティングは熱硬化性接着剤、最も好ましくは、例えばアクリル酸ウレタンのようなＵＶ硬化性熱硬化性アクリル接着剤である。好ましくは、熱硬化性接着剤は、充分な放射エネルギーの紫外線および／または可視光線に感光された時に、素早く硬化して可撓性と透明な接着を成す。好ましくは、摩擦コーティングは、医療装置に使用される熱可塑性物質間における良好な接着膜である。
【０００８】
本発明において使用されるであろう商業上利用可能な接着剤は、コネチカット（CT）のロックタイト社（Loctite Corporation）によって販売されるLoctite Product 3341である。
【０００９】
一方、摩擦材料は、フランジの全表面領域上に配置されるスプリングワッシャー構造でもよい。摩擦材料は、金属またはプラスチックでもよい。
【００１０】
本発明の優れた利点は、摩擦コーティングあるいは材料が、血液採取ニードルをそれが結合されたホルダーから“外れ（spinning-out）”ることを防止することである。
【００１１】
“外れ（spinning-out）”作用は、安全装置が採取ニードルに結合されて、安全装置が回転されるとき、つまり吸引されるチューブがニードルホルダー内に挿入されるときに、引き起こされるであろう。
【００１２】
本発明の摩擦コーティングあるいは材料の他の優れた利点は、それが、血液採取装置の通常および在来の使用方法を邪魔しないことである。
【００１３】
【発明の実施の形態】
本発明は、多くの異なる形態の実施例によって充足されるが、現在の開示が本発明の本質の例としてみなされ、本発明を図解の実施例に限定することを意図するものではないという理解をもって、本発明の好適な実施例は、図面に示され、そこで詳細に説明されるであろう。様々な他の変更は、本発明の範囲と精神に反しない限り、その技術において役立てられるものらによって、認識されて容易に成されるであろう。本発明の範囲は、記載されたクレームと、それらに相当するものによって、判断されるであろう。
【００１４】
それぞれ図の全体に渡って、同じ部分に同じ参照符号を付した図面を参照するに、図１から図４は、本発明の摩擦コーティング付きのニードルアセンブリーを示す。ニードルアセンブリー２０は、ニードル、ハブ、および摩擦コーティングを含む。
【００１５】
図１および図２に示されるように、ニードルは、非患者端部４２、静脈注射端部４４、および非患者端部と静脈注射端部との間に延在する流路を含む。弾性のスリーブ４８は、非患者端部を覆う。
【００１６】
図１および図２に示されるように、ハブは、ねじ付き端部６４、リブ付き端部６６、およびねじ付き端部とリブ付き端部との間に延在する流路を含む。ねじ付き端部６４とリブ付き端部６６は、フランジ６８によって分けられている。フランジ６８は、ねじ付き端部表面７０と、リブ付き端部表面７２とを含む。ニードルの非患者端部４２はねじ付き端部６４から延出し、ニードルの静脈注射端部４４はリブ付き端部６６から延出する。好ましくは、ねじ付き端部６４は、ハブを在来のニードルホルダー上に配備するための雄ねじ８０を含み、またリブ付き端部６６は雄リブ８２を含む。より好ましくは、図３および図４に示されるように、摩擦コーティング９０がフランジ６８のねじ付き端部表面７０上に配置される。
【００１７】
ニードルアセンブリーは互いに組み合わせられ、これによりニードルは、ハブに結合され、そして接着剤によりハブの端部にシールされる。摩擦コーティング９０は、フランジ６８のねじ付き端部表面７０に付与される。図３および図４に示されるように、フランジのねじ付き端部表面の一部分、複数部分、または全部を摩擦コーティングあるいは摩擦材料が覆ってもよいことは、本発明の範囲内である。
【００１８】
使用の際は、図５に示されるように、ニードルホルダーがニードルアセンブリーのハブにねじ付けられ、これにより、摩擦コーティングは、ニードルアセンブリーのねじ付きハブと使用中のニードルホルダーとの間に、取り外し可能な確実な接着を成す。摩擦コーティングは、慣例の処分コンテナとの協同によりニードルアセンブリーがニードルホルダーから外されることを許容する。
【００１９】
図６は、図１から４の構成要素とほぼ同一の多くの構成要素を含む本発明の更なる実施例である。したがって、同様の機能を果たす同様の構成要素は、図６中の同様の構成要素を識別するために用いられるであろう添え字“ａ”を除き、図１から４の構成要素と同様の符号が付けられるであろう。
【００２０】
一方、本発明のニードルアセンブリーは、図６に示されるように、安全なシールドアセンブリーと共同して用いられる。
【００２１】
安全なシールドアセンブリーは、ニードルアセンブリー２０ａに結合されるシールド１００とカラー１１０を含む。図６に示されるように、摩擦コーティング９０ａは、フランジ６８ａのねじ付き端部表面７０ａ上に配置される。使用の際に、ニードルホルダーはニードルのハブにねじ付けられ、これにより、摩擦コーティングは、ニードルアセンブリーとニードルホルダーとの間に取り外し可能な確実な接着を成す。
【００２２】
使用の際には、図７に例示されるように、ニードルホルダーは、安全なシールド付きのニードルアセンブリーのハブにねじ付けられ、これにより摩擦コーティングは、ニードルアセンブリーのねじ付きハブと使用中のニードルホルダーとの間に、取り外し可能な確実な接着を成す。摩擦コーティングは、慣例の処分コンテナとの協同によりニードルアセンブリーがニードルホルダーから外されることを許容する。
【図面の簡単な説明】
【図１】フランジ表面の一部に摩擦コーティング材料をもつニードルアセンブリーの斜視図である。
【図２】フランジの表面の充分な部分に摩擦コーティングをもつニードルアセンブリーの斜視図である。
【図３】図１の３−３線に沿って断面したニードルアセンブリーの平面図である。
【図４】図２の４−４線に沿って断面したニードルアセンブリーの平面図である。
【図５】ニードルホルダーが付いた図１のニードルアセンブリーの斜視図である。
【図６】フランジの表面上の摩擦コーティングと安全装置が付いたニードルアセンブリーの他の実施例の斜視図である。
【図７】ニードルホルダーが付いた図６のニードルアセンブリーの斜視図である。
【図１】
0004463907.tif 000002
【図２】
0004463907.tif 000003
【図３】
0004463907.tif 000004
【図４】
0004463907.tif 000005
【図５】
0004463907.tif 000006
【図６】
0004463907.tif 000007
【図７】
0004463907.tif 000008